(57)【要約】【課題】製品を送出し、製品の漏れを防止することができる流通形圧縮性ガスケット付きディスペンサーを提供する。【解決手段】ディスペンサーは、流通形圧縮性ガスケット及び製品を収容する貯蔵槽を有するハウジングを含んでいる。流通形圧縮性ガスケットは、少なくとも１つの開口を有し、ディスペンサーが開放位置にあるとき、製品送出通路を提供し、ディスペンサーが閉鎖位置にあるとき、漏れを防止する。いくつかの実施例においては、流通形圧縮性ガスケットは、ゴム弾性を有する材料から作られ得る。したがって、流通形圧縮性ガスケットは、ディスペンサーに対してシールを提供する。【選択図】図４
2010110598.tif 000002
【特許請求の範囲】
【請求項１】
粉末化された化粧品を収容する貯蔵槽を有するハウジング、
ハウジングに結合される内側ダイヤルであって、少なくとも１つの開口を有する内側ダイヤル、
少なくとも１つの開口を備える流通形圧縮性ガスケット、
流通形圧縮性ガスケットに、及び内側ダイヤルに結合される外側ダイヤルであって、少なくとも１つの開口を有し、
ｉ）ディスペンサーが粉末化された化粧品を送出する開放位置と、ｉｉ）送出通路をシールする閉鎖位置、の間を回転運動で選択的に作動可能である外側ダイヤル、
粉末化された化粧品を塗布する、外側ダイヤルに結合されている塗布器具、
を備えていることを特徴とする化粧用ディスペンサー。
【請求項２】
流通形圧縮性ガスケットは、熱可塑性エラストマー（ＴＰＥ）材料からなることを特徴とする請求項１の化粧用ディスペンサー。        
【請求項３】
流通形圧縮性ガスケットは、
上面に上部中心隆起部分を、底面に下部中心隆起部分を有する概略円盤状の本体、
概略円盤状の本体に配置され、粉末化された化粧品用の送出通路を画定するために整列することができる少なくとも１つの開口、
概略円盤状の本体の底面上で少なくとも１つの開口を取り囲む第１の円形リングであって、流通形圧縮性ガスケットを内側ダイヤルに結合する第１の円形リング、
概略円盤状の本体の上面上で少なくとも１つの開口を取り囲む第２の円形リングであって、流通形圧縮性ガスケットを外側ダイヤルに結合する第２の円形リング、
概略円盤状の本体に交互に配置される複数の平坦な側面及び複数の円弧状の側面を備える外縁であって、複数の円弧状の側面は、作動時、流通形圧縮性ガスケットを所定の位置に保持する外縁、
を備えていることを特徴とする請求項１の化粧用ディスペンサー。
【請求項４】
流通形圧縮性ガスケットは、
概略円形状の本体、
概略円形状の本体に配置され、粉末化された化粧品用の送出通路を画定するために整列することができる少なくとも１つの開口、
概略円形状の本体の底面上で少なくとも１つの開口を取り囲む第１の円形リングであって、流通形圧縮性ガスケットを内側ダイヤルに結合する第１の円形リング、
概略円形状の本体の上面上で少なくとも１つの開口を取り囲む第２の円形リングであって、流通形圧縮性ガスケットを外側ダイヤルに結合する第２の円形リング、
概略円形状の本体を備える外縁、
を備えていることを特徴とする請求項１の化粧用ディスペンサー。
【請求項５】
流通形圧縮性ガスケットの少なくとも１つの開口は、概略円形、概略正方形、概略楕円形、又は、概略砂時計のようなくびれた形状を備えていることを特徴とする請求項１の化粧用ディスペンサー。
【請求項６】
流通形圧縮性ガスケットの少なくとも１つの開口は、少なくとも約２ｍｍｍの大きさを備えていることを特徴とする請求項１の化粧用ディスペンサー。
【請求項７】
ディスペンサーの構成要素を覆う摺動体であって、ハウジングに結合され、上方位置と下方位置の間を、ブラシ塗布器具を越えて摺動運動で選択的に移動可能である摺動体をさらに備えていることを特徴とする請求項１の化粧用ディスペンサー。
【請求項８】
作動は、少なくとも約１０度から最大約３５０度までの回転機構からなっていることを特徴とする請求項１の化粧用ディスペンサー。
【請求項９】
ハウジングに配置される貯蔵槽は、再充填可能なキャップが貯蔵槽に製品を再充填するために取り外されるように、再充填可能なキャップを備えていることを特徴とする請求項１の化粧用ディスペンサー。
【請求項１０】
製品を収容する貯蔵槽を有するハウジング、
ハウジングに結合されている外側ダイヤルであって、開放位置及び閉鎖位置へ選択的に回転可能である外側ダイヤル、
製品を塗布するためにハウジングに結合されている塗布器具、
貯蔵槽と塗布器具との間に置かれている流通形圧縮性ガスケットであって、少なくとも１つの開口を備え、エラストマー材料からなる流通形圧縮性ガスケット、
を備えていることを特徴とするディスペンサー。
【請求項１１】
外側ダイヤルは、製品を送出する開放位置と製品の漏れを防止する閉鎖位置との間で回転可能であることを特徴とする請求項１０のディスペンサー。
【請求項１２】
外側ダイヤルの開放位置への回転は、流通形圧縮性ガスケットの少なくとも１つの開口を、製品を送出するために、外側ダイヤルの少なくとも１つの開口に整列させることを特徴とする請求項１０のディスペンサー。
【請求項１３】
外側ダイヤルの閉鎖位置への回転は、流通形圧縮性ガスケットの少なくとも１つの開口を、送出通路が全くない平滑領域に整列させることを特徴とする請求項１０のディスペンサー。
【請求項１４】
流通形圧縮性ガスケットは、
ガスケットの本体の底面で少なくとも１つの開口を取り囲んでいる第１の円形リング、
ガスケットの本体の上面で少なくとも１つの開口を取り囲んでいる第２の円形リング、
を備えていることを特徴とする請求項１０のディスペンサー。
【請求項１５】
流通形圧縮性ガスケットは、
上部中心隆起部分及び底部中心隆起部分を有する概略円盤状の本体、
概略円形状を有する少なくとも１つの開口、
をさらに備え、
流通形圧縮性ガスケットの外縁は、概略円盤状の本体に交互に配置される複数の平坦な側面及び複数の円弧状の側面からなることを特徴とする請求項１４のディスペンサー。
【請求項１６】
流通形圧縮性ガスケットは、
概略円形の本体、
概略砂時計のようなくびれた形状を有する少なくとも１つの開口、
をさらに備えていることを特徴とする請求項１４のディスペンサー。
【請求項１７】
流通形圧縮性ガスケットの少なくとも１つの開口は、少なくとも約２ｍｍの大きさであることを特徴とする請求項１０のディスペンサー。
【請求項１８】
外側ダイヤルは、送出中塗布器具を通って製品を案内する複数のパイプを備えていることを特徴とする請求項１０のディスペンサー。
【請求項１９】
外側ダイヤルのパイプは、少なくとも、概略円形、概略正方形、又は概略楕円形を含んでいることを特徴とする請求項１８のディスペンサー。
【請求項２０】
ガスケットの本体に配置される少なくとも１つの開口、
本体の底面で少なくとも１つの開口を取り囲んでいる第１の円形リング、
本体の上面で少なくとも１つの開口を取り囲んでいる第２の円形リング、
ガスケットの本体を取り囲む外縁、
を備え、
熱可塑性エラストマー（ＴＰＥ）材料からなることを特徴とする流通形圧縮性ガスケット。
【請求項２１】
流通形圧縮性ガスケットの少なくとも１つの開口は、少なくとも、概略円形、概略正方形、概略楕円形、又は、概略砂時計のようなくびれた形状のいずれかを含んでいることを特徴とする請求項２０の流通形圧縮性ガスケット。
【請求項２２】
外縁は、概略円盤状の本体において、概略円形の外縁、又は、複数の円弧状側面と交互に配置される複数の平坦な側面からなることを特徴とする請求項２０の流通形圧縮性ガスケット。
【発明の詳細な説明】
【技術分野】
【０００１】
本発明は、流通形圧縮性ガスケット付きディスペンサーに関する。
【背景技術】
【０００２】
化粧品、医薬品、食品、家庭用品、又はその他の製品を供給するための装置が存在する。そのような装置は、通常、外側ハウジング、異なる種類の製品を供給する送出機構、及び塗布器具からなる。例えば、様々な産業において、粉末、ゲル、クリーム、又はローション（lotions）を塗布する装置が採用されている。化粧品業界や介護業界においては、装置は、口紅、リップクリーム、スキンクリーム、ローション、化粧用コンパクト、ルースパウダー（loose powder）、及びその他の化粧品を顔や身体の部分に塗布するために使用される。
【発明の概要】
【発明が解決しようとする課題】
【０００３】
一般的に、これらの装置は、多くの欠点を有している。例えば、製品が一定量で供給されない恐れがある。すなわち、製品は装置から出てくる量が少なすぎたり多すぎたりすることがある。別の問題は、装置の塗布器具が、一旦所望の量の製品が供給されると、製品が装置から流出し続ける恐れがある点にある。例えば、特に、日中、再使用のためにある場所から別の場所へ持ち運ぶとき、製品が装置から漏れ出したり、こぼれ出たりする恐れがあり、結果として、使用者にとり、製品の浪費と液漏れによる汚れを招く。したがって、この分野において装置が改良される必要性がある。
【課題を解決するための手段】
【０００４】
この欄は、以下の詳細な説明でさらに詳しく説明される流通形圧縮性ガスケット付きディスペンサーの簡略化された概念を紹介するために提供されている。この欄は、クレームされた発明の本質的特徴を特定することを目的とするものではないし、クレームされた発明の範囲を決定するのに使用するためのものでもない。
【０００５】
本発明は、少なくとも１つの開口を有する流通形圧縮性ガスケット付きディスペンサーを対象とする。本発明は、ディスペンサーが粉末化粧品を収容する貯蔵槽を有するハウジングを含むことを述べている。該ディスペンサーは、少なくとも１つの開口を有する流通形圧縮性ガスケットを含んでいる。ディスペンサーは、流通形圧縮性ガスケットの少なくとも１つの開口を通して粉末化粧品を選択的に送出するために作動可能な外側ダイヤルを有する。さらに、流通形圧縮性ガスケット付きディスペンサーは、製品を送出し、製品の漏れを防止することが可能である。
【０００６】
本発明は、また、概略円形、又は、概略砂時計のようにくびれた形状である少なくとも１つの開口を有する流通形圧縮性ガスケットを対象とする。流通形圧縮性ガスケットは、熱可塑性エラストマー材料から成る。
【０００７】
上に述べた、又は、以下に述べられるだろう特徴、機能及び利点は、様々な実施例において独立して達成され得るか、又は、さらに別の実施例で組み合され得る。そのさらなる詳細は、以下の説明及び図面を参照して理解され得る。
【図面の簡単な説明】
【０００８】
【図１】１つの実施例に係る具体的な流通形圧縮性ガスケット付きディスペンサーの分解組立図である。
【図２】ディスペンサー用の代表的塗布器具の斜視図である。
【図３】Ａ−Ａ線に沿い及びＣ−Ｃ線に沿って断面される、図１のディスペンサー用の代表的ディスペンサー・キャップの平面図である。
【図４】図１のディスペンサーの断面図である。
【図５ａ】１つの実施例に係る流通形圧縮性ガスケットの底面図である。
【図５ｂ】１つの実施例に係る流通形圧縮性ガスケットの平面図である。
【図５ｃ】１つの実施例に係る流通形圧縮性ガスケットの斜視図である。
【図６】図１のディスペンサーの外観図である。
【図７】図１のディスペンサーの外観図である。
【図８】流通形圧縮性ガスケット付きディスペンサーの別の具体的な実施例の分解組立図である。
【図９】図８の実施例に係る外側ダイヤルの斜視図である。
【図１０】図８の実施例に係る内側ダイヤルの斜視図である。
【図１１ａ】ある実施例に係る具体的な流通形圧縮性ガスケットの前方斜視図である。
【図１１ｂ】ある実施例に係る具体的な流通形圧縮性ガスケットの平面図である。
【図１１ｃ】ある実施例に係る具体的な流通形圧縮性ガスケットの側面図である。
【図１２】図８の具体的な流通形ディスペンサーのＡ−Ａ線に沿う断面図である。
【図１３】図８の具体的な流通形ディスペンサーの断面図である。
【発明を実施するための形態】
【０００９】
詳細な内容が添付の図面を参照して説明される。図において、参照番号の最も左の数字は、該参照番号が最初に表れる図を特定する。異なる図面における同じ参照番号の使用は、同じすなわち同一の品目を示す。
【００１０】
（総括）
本発明の１つの実施例は、回転運動において、製品を供給し、製品の漏れを防止する流通形圧縮性ガスケット付きディスペンサーを対象としている。例えば、化粧用ディスペンサーは、粉末化された化粧品を収容する貯蔵槽を有するハウジングを含んでいる。ディスペンサーは、少なくとも１つの開口を有する流通形圧縮性ガスケット（a flow-through compressible gasket）を含んでいる。さらに、ディスペンサーは、流通形圧縮性ガスケットの少なくとも１つの開口を通して粉末化された化粧品を選択的に送出するために作動可能である少なくとも１つの開口を有する外側ダイヤルを含んでいる。流通形圧縮性ガスケットは、外側ダイヤルと内側ダイヤルとの間に機械的シールを提供する。ディスペンサーは、製品送出通路が塗布器具で終了するように、粉末化された化粧品を塗布する、外側ダイヤルに結合された塗布器具を含んでいる。
【００１１】
別の実施例は、少なくとも１つの開口を有する流通形圧縮性ガスケット付き製品ディスペンサーを含んでいる。流通形圧縮性ガスケットに結合された外側ダイヤルは、製品送出通路を画定する開放位置と製品の漏れを防止する閉鎖位置との間で回転可能である。回転により開放位置にある外側ダイヤルは、流通形圧縮性ガスケットの少なくとも１つの開口を内側ダイヤル及び／又は外側ダイヤルの１以上の開口に整列させる。さらに、回転により閉鎖位置にある外側ダイヤルは、流通形圧縮性ガスケットの少なくとも１つの開口を内側ダイヤル及び／又は外側ダイヤルの複数の隆起部分に整列させ、シールを形成する。該シールは、製品の漏れを防止する効果がある。
【００１２】
さらに別の実施例においては、少なくとも１つの開口を有する流通形圧縮性ガスケットは、砂時計のようにくびれた形状構造を含み得る。また、該ガスケットは、ゴム状弾性を有する材料から成り得る。
【００１３】
一例としてであってこれに限定されるものではないが、本明細書における流通形圧縮性ガスケット付きディスペンサーは、多くの状況や環境の中で適用され得る。例えば、流通形圧縮性ガスケット付きディスペンサーは、医薬品、化粧業界や介護業界、粉末化された化粧品、鉱物性製品（mineral products）、食品、香辛料、じゅうたん用消臭脱臭剤、ベーキング・ソーダ（baking soda）などに対して実施され得る。例えば、様々な産業において、流通形圧縮性ガスケット付き装置は、粉末化された製品、ゲル状製品、クリーム状製品、又はローション製品を塗布するために使用され得る。化粧業界や介護業界においては、流通形圧縮性ガスケット付き装置は、口紅、リップクリーム、スキンクリーム、ローション、粉末化されたルースパウダー及びその他の化粧品を顔や身体の部分に塗布するのに使用され得る。
【００１４】
（具体的な流通形圧縮性ガスケット付きディスペンサー）
図１は、具体的な回転機構を有するディスペンサー１００の分解組立図である。この実施例においては、ディスペンサー１００は、開放位置と閉鎖位置との間で、らせん運動で選択的に回転可能であり得る。開放位置は、製品を送出するために、開いた状態にあると考えられる。閉鎖位置は、製品が全く送出されない閉じた状態にあると考えられる。製品の送出が全くない場合、ディスペンサーは、持ち運びを容易にするために保管され得る。
【００１５】
図１は、貯蔵槽付きのハウジング１０２を有するディスペンサー１００を示す。ハウジング１０２は、首部を取り囲む隆線（a ridge）を含んでいる。ある場合には、ハウジング１０２は、透明な、実質的に不透明な、又は半透明な材料から作られ得る。ディスペンサー１００は、内側ダイヤル１０６に結合されるＯリング・シール１０４を有する。内側ダイヤル１０６は、一例として、圧入、スナップ嵌め、接着剤、及び／又は、１以上の係合機構による係合によってハウジング１０２に固定される。例示される実施例において、ハウジング１０２は、内側ダイヤル１０６に結合する補強リブを含んでいる。とはいえ、別の実施例においては、内側ダイヤルは、一体のものとして貯蔵槽及びハウジング１０２と一体成形されてもよい。一体のものとして構成される場合、ハウジングの内側ダイヤル及び貯蔵槽は、異なる、又は、同じ材料から作られてもよい。
【００１６】
Ｏリング・シール１０４は、通常、リング、すなわち、環状であるように例示されている。しかしながら、Ｏリング・シール１０４は、楕円形、長円形、球形、曲線状、台形などのような事実上全ての所望の形状に構成されてもよい。Ｏリング・シール１０４は、内側ダイヤル１０６をハウジング１０２に保持し、シールを形成するのに役立つ。Ｏリング１０４は、限定されるものではないが、ニトリルゴム、ブナＮ、アクリロニトリルとブタジエンの合成ゴム共重合体、熱可塑性エラストマー（ＴＰＥ）、シリコーンなどを含む材料から作られ得る。
【００１７】
内側ダイヤル１０６は、製品をハウジング１０２の貯蔵槽から製品送出用塗布器具へ搬送する１以上の開口を含み得る。内側ダイヤル１０６は、また、内側ダイヤルの１以上の開口と交互に配置される１以上の隆起部分を含み得る。１以上の隆起部分は、限定されるものではないが、内側ダイヤルと同じ材料から作られ、オーバーモールドされた（over molded）熱可塑性エラストマー材料から形成され、複数の隆起したバンプ（bumps）から作られ、小さな層から作られ、又はバンプ又は隆起部分を取り囲む熱可塑性エラストマー・リングから作られるものを含んでいる。
【００１８】
例示される実施例において、ディスペンサー１００は、概略円盤状の流通形圧縮性ガスケット１０８を含んでいる。実施例においては、流通形圧縮性ガスケットは、内側ダイヤル１０６内の溝に配置され得る。内側ダイヤル１０６は、使用者による作動時、流通形圧縮性ガスケット１０８を保持するために凹部が所定の位置に作られ得る。いくつかの実施例においては、内側ダイヤル１０６は、流通形圧縮性ガスケット１０８とは別部材として構成され得る。一方、別の実施例においては、内側ダイヤルは、流通形圧縮性ガスケットと一体のものとして構成され得る。一体のものとして一緒に一体成形される場合、内側ダイヤル及び流通形圧縮性ガスケットは、異なる材料から作られてもよい。
【００１９】
ディスペンサー１００は、また、例えば、製品と反応しない熱可塑性ポリマーから作られ得る外側ダイヤル１１０を含んでいる。実施例においては、外側ダイヤルは、外側ダイヤルの１以上の開口と交互に配置される１以上の隆起部分を含み得る。１以上の隆起部分は、限定されるものではないが、外側ダイヤルと同じ材料で作られ、オーバーモールドされた熱可塑性エラストマー材料から形成され、複数の隆起したバンプから作られ、小さな層から作られ、又はバンプ又は隆起部分を取り囲む熱可塑性エラストマー・リングから作られるものを含んでいる。
【００２０】
外側ダイヤル１１０は、例えば、圧入、スナップ嵌め、接着剤、及び／又は、１以上の係合機構による係合によって、内側ダイヤル１０６に固定され得る。例示された実施例においては、外側ダイヤル１１０は、内側ダイヤル１０６に結合する補強リブを含んでいる。該補強リブは、外側ダイヤルが閉鎖位置又は開放位置へ回転することを許容する。また、外側ダイヤル１１０は、引っ込んだ所に配置された開口及び外周縁を取り囲む１以上の隆線を含んでいる。
【００２１】
流通形圧縮性ガスケット１０８は、閉鎖位置において作動が起きた場合にシールを作り出すのに役立つ。この閉鎖位置において、流通形圧縮性ガスケット１０８は、漏れている化粧品の痕跡を残すという経験をすることなしに、ある場所から別の場所への充填されたディスペンサー１００の度重なる搬送を可能とする。とはいえ、閉鎖位置において、流通形圧縮性ガスケット１０８は、シールにより送出通路に沿う製品の移動を妨げている。さらに、流通形圧縮性ガスケット１０８は、開放位置において一回で一定量の製品が供給されることを可能とする。この開放位置において、一定量の製品は、ルースパウダーが使用者の体一面に塗布されることなしに塗布される。流通形圧縮性ガスケット１０８のより詳細な説明が図５において引き続きなされる。
【００２２】
シールは、異なる方法で作り出され得る。実施例においては、外側ダイヤルが所定の位置に流通形圧縮性ガスケットを保持する。この実施例においては、内側ダイヤルは、流通形圧縮性ガスケットの１以上の開口と整列し得る１以上の隆起部分を含んでいる。外側ダイヤルが作動すると、下向きの回転が内側ダイヤルの１以上の隆起部分を流通形圧縮性ガスケットの１以上の開口に対して圧縮させる。流通形ガスケットは圧縮性であるので、内側ダイヤルの１以上の隆起部分または小さなバンプまたは平滑な領域と流通形圧縮性ガスケットの１以上の開口との間のこの圧縮は、シールを作り出し、製品が漏れることを防止する。あるいは、流通形圧縮性ガスケットの１以上の開口が、内側ダイヤルの１以上の隆起部分を圧縮し、シールを作り出す。ある場合には、下向きの回転により圧力が加えられてもよい。
【００２３】
さらに別の実施例においては、内側ダイヤルが流通形圧縮性ガスケットを所定の位置に保持する。この実施例においては、外側ダイヤルが、外側ダイヤルの底面側から見ることができる、又は外側ダイヤルの下に見られる１以上の隆起部分を含み得る。１以上の隆起部分又は平滑な領域又は小さなバンプは、外側ダイヤルの１以上の開口と交互に配置される。この実施例においては、外側ダイヤルが作動すると、外側ダイヤルの１以上の隆起部分が整列し、流通形圧縮性ガスケットの１以上の開口を圧縮し、シールを作り出す。流通形ガスケットは、圧縮性であるので、外側ダイヤルの１以上の隆起部分と流通形圧縮性ガスケットの１以上の開口との間のこの圧縮は、シールを作り出し、製品が漏れることを防止し得る。あるいは、流通形圧縮性ガスケットの１以上の開口が整列し、外側ダイヤルの１以上の隆起部分を圧縮し得る。ある場合には、下向きの回転により圧力が加えられてもよい。製品送出機構の説明は、図４において引き続きなされる。
【００２４】
例示されている実施例において、外側ダイヤル１１０は、また、概略円筒形状のパイプであり、ハウジング１０２内の製品に対して製品送出通路を形成する１以上のパイプ１１２を含み得る。複数の円筒状パイプ１１２の断面は、ほぼ円形又はほぼ楕円形である。実施例においては、１以上のパイプ１１２は、ほぼ円形である３本のほぼ円筒形状をしたパイプを含み得る。別の実施態様においては、外側ダイヤル１１０は、それを貫通して延在するパイプを含んでいなくてもよい。
【００２５】
ハウジング１０２、内側ダイヤル１０６、及び外側ダイヤル１１０は、例えば、ガラス、金属、木材、プラスチック、ポリマー、その複合材料などを含む材料から構成され得る。いくつかの実施例においては、ハウジング１０２、内側ダイヤル１０６、及び外側ダイヤル１１０は、例えば、アクリロニトリル・ブタジエン・スチレン（ＡＢＣ）、スチレン・アクリロニトリル（ＳＡＮ）、ペンタクロロチオアニソール（ＰＣＴＡ）、ポリプロピレン（ＰＰ）、ポリエチレン（ＰＥ）、ポリウレタン、それらの組み合わせなどのような合成樹脂から少なくとも部分的に作られ得る。
【００２６】
いろいろな具体的実施例の特徴が述べられているけれども、その他の実施態様において、ハウジング１０２、Ｏリング１０４、内側ダイヤル１０６、及び外側ダイヤル１１０は、ディスペンサー１００に収容される製品の塗布に適正な形状で構成され得る。ハウジング１０２、Ｏリング１０４、内側ダイヤル１０６、及び外側ダイヤル１１０は、円形、円盤形、楕円形、長円形、球形、曲線形、台形などのような事実上全ての所望の形状でそれぞれ構成され得る。
【００２７】
（流通形圧縮性ガスケット付きディスペンサー用の具体的な塗布器具及びキャップ）
図１は、塗布器具１１４の上部を覆って嵌合するように所定の大きさに作られている取り外し可能なキャップ１１６すなわちカバーに加えて塗布器具１１４を有するディスペンサー１００を示している。実施例においては、取り外し可能なキャップ１１６は、ハウジング１０２にスナップ嵌めされ得る。別の実施例においては、取り外し可能なキャップ１１６は、ハウジング１０２にねじ止めするねじ山を含み、該ハウジング１０２と結合し得る。別の実施例においては、ディスペンサー１００は、透明なプラスチック・カバー、引き上げ式のカバーなどを含んでいてもよい。本実施例においては、ディスペンサー１００は、ディスペンサー１００が使用されていないとき、塗布器具１１４を密封する取り外し可能なキャップ１１６を含んでいる。さらに別の実施例では、ディスペンサー１００は、取り外し可能なキャップすなわちカバーを含んでいなくてもよい。
【００２８】
取り外し可能なキャップ１１６は、製品を塗布するとき、容易に鏡１１８を使用できるという使用者の便宜上、鏡１１８を含んでいてもよい。鏡１１８は、厚さが少なくとも約２ｍｍから最大約８ｍｍまでの範囲に及び得る。様々な実施例において、鏡１１８は、接着剤、圧入、スナップ嵌め、１以上のリブ又は返し（barbs）、又はその他の適切な固定手段により、取り外し可能なキャップ１１６に結合され得る。鏡１１８は、取り外し可能なキャップ１１６の上部、側部、又は下に配置され得る。別の実施例では、ディスペンサー１００は、鏡を含んでいなくてもよい。実際のところ、塗布器具１１４、取り外し可能なキャップ１１６、及び鏡１１８は、円盤状、楕円形、長円形、球形、曲線状、台形などのような事実上全ての所望の形状で構成され得る。
【００２９】
図２は、ディスペンサー１００用の代表的な塗布器具２００の斜視図を示している。塗布器具２００は、外側ダイヤル１１０に結合されるベース部分２０２を含んでいる。様々な実施例において、塗布器具２００は、接着剤、圧入、スナップ嵌め、１以上のリブ又は返し、又はその他の適切な固定手段により、ベース部分２０２に結合される。塗布器具２００の上部は、限定されるものではないが、製品を塗布するために、ブラシ２０４、スポンジ２０６又はパウダーパフ２０８を含んでいる。いくつかの実施例においては、塗布器具２００は、限定されるものではないが、化粧用の粉末化された製品、医薬用の粉末化された製品などを含む製品を塗布するのに使用され得る。
【００３０】
様々な具体的実施例の特徴が述べられているけれども、塗布器具２００は、ディスペンサーに収容される製品を塗布するのに適した形状で構成され得る。例えば、塗布器具２００は、その他の適切な形状、大きさで構成されてもよいし、所定の塗布に要求される適切な質量、表面仕上げ、及び／または表面処理を有していてもよい。実際に、塗布器具２００は、円盤状、楕円形、長円形、球形、曲線状、台形などのような事実上全ての所望の形状で構成され得る。
【００３１】
図３は、Ａ−Ａ線及びＣ−Ｃ線に沿って断面される、図１のディスペンサー用の具体的なディスペンサー・キャップの上面図である。
【００３２】
（流通形圧縮性ガスケットを用いる具体的な機構）
図４は、図１の実施例に係る流通形圧縮性ガスケット付きの具体的ディスペンサーの断面図である。図４に示されるように、ディスペンサー４００は、製品送出通路４０２がハウジング１０２から延在し、塗布器具１１４の開口で終了する、ハウジング１０２を有する。
【００３３】
以下は、限定されるものではないが、開放位置において製品を供給し、閉鎖位置において製品の漏れを防止する、送出機構の実施例の説明である。実施例は、回転又は逆回転動作を用いて実施され得る。それにより、使用者は、時計方向又は反時計方向のどちらかに内側ダイヤルに対して外側ダイヤルを動かすことでディスペンサー１００を動作させ得る。回転は、左から右へ及び右から左へ動かし得る。開放位置及び閉鎖位置は、限定されるものではないが、時計方向及び／又は反時計方向、左及び／又は右への移動、上及び／又は下運動などを含む回転に適用し得る。
【００３４】
内側ダイヤル１０６、流通形圧縮性ガスケット１０８、及び外側ダイヤル１１０の開口の大きさは、塞がれることなく製品送出を可能とするのに十分な大きさ及び十分な開度を有している。例えば、開口の大きさは、少なくとも約１ｍｍから最大約６ｍｍまでの幅に及び得る。１つの実施例においては、それぞれの開口は、大きさが少なくとも約２．５ｍｍである。
【００３５】
開口の構成は、２つの開口又は互いに対して１２０度離れて配置される３つの開口から成る。別の実施例においては、開口の構成は、互いに対して９０度離れて配置される４つの開口から成っていてもよい。さらに別の実施例においては、内側ダイヤル、流通形圧縮性ガスケット、又は外側ダイヤルの中心又は中心を外れて配置される１つの開口であってもよい。開口は、約４５度から約１８０度までにわたる角度で離れて配置され得る。
【００３６】
各構成要素における開口の数は、少なくとも１から約４までの範囲にわたる。上述したように、隆起部分の数は、内側ダイヤル又は外側ダイヤルの窓の数を代替し得る。
【００３７】
内側ダイヤル１０６、流通形圧縮性ガスケット１０８、及び外側ダイヤル１１０の形状、大きさ及び開口の数は、相互の関連で異なっていてもよい。例えば、流通形圧縮性ガスケットは１つの開口であり、内側ダイヤル及び外側ダイヤルそれぞれは、２つの開口であってもよい。さらに、流通形圧縮性ガスケットの開口の形状は、円形であり、内側ダイヤルの形状は、楕円形であり、外側ダイヤルの形状は、台形であってもよい。開口の形状、大きさ及び数のどのような組み合わせもあり得る。
【００３８】
１つの実施例においては、外側ダイヤル１１０は、開放位置において製品送出を可能とする操作機構として働く。開放位置への外側ダイヤルの回転は、製品がこの製品送出通路４０２を通って搬送されるように、流通形圧縮性ガスケット１０８の１以上の開口を内側ダイヤル１０６及び／又は外側ダイヤル１１０の１以上の開口に整列させる。別の実施例においては、複数のパイプを有する外側ダイヤルが、開放位置において製品送出を可能とする操作機構として働く。該機構は、上述のものと同じであるのに対して、外側ダイヤルの回転は、複数のパイプを流通形圧縮性ガスケットの１以上の開口及び内側ダイヤルの１以上の開口と整列させる開放位置へ行く。したがって、製品は、流通形圧縮性ガスケットの開口及び複数のパイプのこの製品の送出通路を通って搬送される。
【００３９】
さらに別の実施例においては、外側ダイヤル１１０は、閉鎖位置において製品の漏れを防止する操作機構として働く。さらに、使用者による作動は、外側ダイヤル１１０を閉鎖位置にある流通形圧縮性ガスケット１０８に対して下方に向って圧力を加えさせることにより、螺旋形である回転機構を備えている。この閉鎖位置において、外側ダイヤル１１０は、前に述べたように、流通形圧縮性ガスケット１０８の少なくとも１つの開口を内側ダイヤル１０６及び／又は外側ダイヤル１１０の複数の隆起部分又は領域に整列させることでカム運動によるシールを提供する。したがって、閉鎖位置は、製品送出通路４０２をシールすることで製品が漏れることを防止する。
【００４０】
図４において、限定されるものではないが、フィルター（a filter）、ストレーナー（a strainer）、又はディフューザー（a diffuser）などを含む４０４が示されている。フィルター、ストレーナー、又はディフューザー４０４は、いくつかの実施例において、ガスケットまで移動する前に製品をろ過し、漉し、又は拡散するのを促すように使用される。この変形例は、図４に示されており、図１には示されていない。
【００４１】
実施例において、回転機構は、開放位置まで、少なくとも約１０度から最大約３５９度までの回転を含んでいる。別の実施例においては、回転機構は、最小で少なくとも約５度から最大で約３５０度までの回転を含んでいる。製品を供給する送出機構の別の実施例は、流通形圧縮性ガスケットの十分な数の少なくとも１つの開口及び十分な大きさの少なくとも１つの開口に対して、少なくとも約１８０度の回転であってもよい。
【００４２】
作動は、また、回転させること、押し下げること、摺動させること、傾斜させること、又は外側カバー、外側カバーのツマミを操縦することにより、及び／又はその他の適切な供給機構により起こり得る。ある実施例においては、外側カバーのツマミが開放位置での製品送出を可能にしている。しかしながら、その他の実施例においては、適切な送出機構が使用され得る。
【００４３】
（具体的な流通形圧縮性ガスケット）
図５ａ、５ｂ及び５ｃは、それぞれ、１つの実施例に係る具体的な流通形圧縮性ガスケットの底面図、上面図、及び斜視図である。図５ａは、上面に上部中心隆起部分５０４を有する概略円盤状の本体５０２を有する流通形圧縮性ガスケット５００を示している。上部中心隆起部分５０４は、概略円形、概略正方形、又は、概略楕円形であり得る。この図においては、上部中心隆起部分５０４は、概略円形である。上部中心隆起部分５０４は、嵌合面（a mating side）の凹部に対応する。該凹部は、内側ダイヤル又は外側ダイヤルどちらかに配置されている。
【００４４】
図５ａは、概略円盤状の本体５０２に配置される少なくとも１つの開口５０６を示している。少なくとも１つの開口５０６は、内側ダイヤル１０６及び／又は外側ダイヤル１１０の少なくとも１つの開口と整列し、あるいは、いくつかの実施例では、粉末化された製品を送出する外側ダイヤルの複数のパイプと整列する。流通形圧縮性ガスケット５００の開口５０６は、限定されるものではないが、概略円形、概略正方形、又は概略楕円形の形状を有し得る。概略円形の開口５０６が示されている。
【００４５】
少なくとも１つの開口５０６の大きさは、詰まることなく製品の送出を可能とするのに十分な大きさを有する。開口の大きさは、少なくとも１つの開口５０６を通って粉末化された微粒子が移動できるのに十分な開度を有する。例えば、流通形圧縮性ガスケット５００の開口５０６の大きさは、少なくとも約１ｍｍから最大約６ｍｍにまで及び得る。１つの実施例においては、開口５０６は、直径が少なくとも約２ｍｍである。
【００４６】
少なくとも１つの開口５０６の数は、開放位置において製品送出を可能とするのに十分な数を有するが、開口の大きさにある程度依存する。実施例においては、示されるように、３つの開口がある。他の実施例においては、該開口は、限定されるものではないが、少なくとも約１つの開口から最大約４つの開口まで含み得る。
【００４７】
開口５０６の配列は、示されるように、三角配置であり得る。別の実施例においては、その配列は、限定されるものではないが、正方形、円形又は砂時計のようなくびれた配置を含む様々な配置であってもよい。
【００４８】
概略円盤状の本体５０２は、該円盤状の本体５０２の両面に、円形のリング５０８を含んでいる。１つの実施例では、第１の円形リングは、開口を取り囲み、一方の面で内側ダイヤル１０６に結合することになり、第２の円形リングは、開口を取り囲み、他方の面で外側ダイヤル１１０に結合することになる。
【００４９】
流通形圧縮性ガスケット５００は、概略円盤状の本体上に、複数の平坦な側面５１０と複数の円弧状の側面５１２を交互に有する外縁を含んでいる。複数の円弧状の側面５１２により、様々な実施例における作動時、流通形圧縮性ガスケット５００は外側ダイヤル１１０又は内側ダイヤル１０６に対して安定して保持されている。複数の平坦な側面５１０は、概略円盤状の本体５０２のどのような面にも適合し得る。例えば、平坦な側面５１０は、限定されるものではないが、三角形の配列又は配置に配列された３つの面を含み得る。円弧状の側面５１２は、概略円盤状の本体５０２のどのような面にも適合し得る。
【００５０】
円弧状の側面５１２は、三角形の配列又は配置に配列されている。実施例においては、概略円盤状の本体５０２は、交互に配置されている平坦な側面５１０と円弧状の側面５１２を含み得る。円弧状の側面と平坦な側面の数は、それぞれ、少なくとも約１から最大約４までの範囲に及び得る。
【００５１】
図５ｂは、流通形圧縮性ガスケットの概略円盤状の本体５０２の別の面を示している。流通形圧縮性ガスケット５００の中心隆起部分５１４は、概略正方形であり得る。中心隆起部分５１４は、限定されるものではないが、概略円形、概略正方形、又は概略楕円形を含む形状を有し得る。中心隆起部分５１４は、嵌合面の凹部に対応する。該凹部は、内側ダイヤル又は外側ダイヤルどちらかに配置されている。
【００５２】
図５ｃは、流通形圧縮性ガスケット５００の斜視図を示している。流通形圧縮性ガスケット５００は、ゴム状弾性を有し得る材料から作られている。材料は、限定されるものではないが、熱可塑性エラストマー（ＴＰＥ）、熱可塑性ポリマー、ポリ塩化ビニル、ポリウレタン、ポリエステル共重合体、スチレン共重合体、オレフィン、エチレン・アクリル樹脂、塩素化ポリエチレン、クロロスルホン化ポリエチレン、フッ素化炭素、ゴムを含む。他方、別の実施例では、エラストマー材料は、ブチルゴム、シリコーン、ブタジエンゴム、ネオプレン、ニトリル、フルオロシリコーン、スチレンブタジエンゴム（ＳＢＲ）などのような比較的柔軟な材料又はゲル状物質を含み得る。
【００５３】
様々な具体的実施例の特徴が述べられているけれども、別の実施例では、流通形圧縮性ガスケット５００は、ディスペンサーに収容される製品の塗布に適した形状であればどのようなものであってもよい。例えば、流通形圧縮性ガスケット５００は、その他の適切な形状及び大きさで構成されてもよく、所定の塗布に望まれる開口の適切な数、適切な開口の大きさ、適切な開口の形状を有していてもよい。流通形圧縮性ガスケット５００の開口の大きさ、数、及び形状は、実施例の間で変化し得る。ディスペンサー及び流通形圧縮性ガスケット５００の製造は、別々の製造工程、一体成形工程、又はその他の適切な製造工程を介して達成され得る。
【００５４】
図６及び７は、図１のディスペンサーの外観図である。
【００５５】
（具体的な、砂時計のようなくびれた形状を有する流通形圧縮性ガスケット付きディスペンサー）
図８は、流通形圧縮性ガスケット付きディスペンサーの別の実施例の分解組立図である。図８は、１つの実施例に係る砂時計のようなくびれた形状を有する流通形圧縮性ガスケット付きディスペンサー８００を例示している。この実施例においては、ディスペンサー８００は、アクチュエータ（an actuator）が砂時計のようなくびれた形状を有する流通形圧縮性ガスケットの少なくとも１つの開口を外側ダイヤル及び／又は内側ダイヤルの少なくとも１つの開口に整列させると、開放位置へ回転し、製品通路を画定し得る。さらに、ディスペンサー８００は、アクチュエータが砂時計のようなくびれた形状を有する流通形圧縮性ガスケットの少なくとも１つの開口を内側ダイヤル及び／又は外側ダイヤルの平滑な領域に整列させると、閉鎖位置に回転し、製品通路が画定され得ない。便宜上、用語「砂時計のようなくびれた形状を有する流通形圧縮性ガスケット」は、「流通形圧縮性ガスケットＨ」という縮めた言い方で同じ意味で使用され得る。
【００５６】
図８は、製品を収容する貯蔵槽付のハウジング８０４に結合される端部キャップ８０２を有する具体的なディスペンサー８００を示している。ハウジング８０４は、底部に隆線を有し、貯蔵槽には、製品を再充填すべく端部キャップ８０２を取り外すことにより、製品が再充填され得る。ある場合には、ハウジング８０４は、透明な、ほぼ不透明な、又は半透明な材料から作られ得る。実施例において、ハウジング及び端部キャップは、一緒に成形され得る。ハウジング及び端部キャップが一緒に成形されると、貯蔵槽は、ハウジングの上部で充填される。
【００５７】
ディスペンサー８００は、ディスペンサーの様々な構成要素を覆う摺動体（a slide）８０６を含んでいる。別の実施例においては、摺動体８０６は、摺動運動で上方位置へ及び下方位置へ選択的に移動し、塗布器具用ブラシを格納する。使用者は、使用しない時は、摺動運動で上方位置へ摺動体８０６を選択的に動かし、摺動体８０６が引き上げられ、塗布器具用ブラシの形状を保護する。さらに、使用者は、摺動運動で下方位置へ摺動体８０６を選択的に動かし、塗布器具用ブラシを露出させ、該ブラシを利用できるようにする。したがって、摺動体８０６は、塗布器具用ブラシを格納する。
【００５８】
ディスペンサーは、内側ダイヤル又は内側バルブ８０８、砂時計のようなくびれた形状を有する流通形圧縮性ガスケット８１０、及び外側ダイヤル又は外側バルブ８１２を含んでいる。内側ダイヤル８０８は、例えば、圧入、スナップ嵌め、接着剤、及び／又は、１以上の係合機構による係合によって、ハウジング８０４及び摺動体８０６に固定され得る。例示されている実施例においては、内側ダイヤル８０８は、摺動体８０６に及びハウジング８０４に結合し、確実な嵌合を提供すべく、側部係合機構を含んでいる。内側ダイヤル８０８は、少なくとも１つの開口と交互になっている複数の平滑領域を有する中心隆起部分を含んでいる。
【００５９】
以下に、限定されるものではないが、開放位置で製品を供給し、閉鎖位置で製品の漏れを防止する送出機構の実施例が説明される。実施例は、回転動作又は逆回転動作を使用して実行される。それにより、使用者は、外側ダイヤル８１２を内側ダイヤル８０８に対して時計方向に又は反時計方向に動かすことにより、ディスペンサー８００を操作し得る。回転は、左から右へ、及び／又は右から左へ移動し得る。開放位置及び閉鎖位置は、限定されるものではないが、時計方向及び／又は反時計方向、左及び／又は右への移動、上及び／又は下への運動などを含む回転に適用し得る。
【００６０】
流通形圧縮性ガスケットＨ８１０の開口は、内側ダイヤル８０８及び／又は上部ダイヤル８１２の少なくとも１つの開口に整列させ、ディスペンサー８００を開放位置にさせる。この開放位置は、製品の送出を可能とする。
【００６１】
内側ダイヤル８０８、流通形圧縮性ガスケットＨ８１０、及び外側ダイヤル８１２の少なくとも１つの開口は、限定されるものではないが、概略砂時計のようなくびれた形状、概略円盤状、概略円形状、該略正方形状、概略楕円形状、又は概略台形状を含む形状を有し得る。
【００６２】
内側ダイヤル８０８、流通形圧縮性ガスケットＨ８１０、及び外側ダイヤル８１２の開口の大きさは、詰まることなく製品の送出を可能とするのに十分な大きさ及び適切な開度を持っている。例えば、開口の大きさは、少なくとも約１ｍｍから最大約５ｍｍの範囲にあり得る。１つの実施例においては、開口それぞれは、少なくとも約２ｍｍの大きさである。
【００６３】
内側ダイヤル８０８、流通形圧縮性ガスケットＨ８１０、及び外側ダイヤル８１２の開口の数は、少なくとも１から約４の範囲にあり得る。
【００６４】
内側ダイヤル８０８、流通形圧縮性ガスケットＨ８１０、及び外側ダイヤル８１２の開口の形状、大きさ及び数は、相互の関連で異なっていてもよい。例えば、流通形圧縮性ガスケットにおいては１つの開口であり、内側ダイヤル及び外側ダイヤルそれぞれにおいては、２つの開口であってもよい。さらに、流通形圧縮性ガスケットの開口の形状は、概略砂時計のようなくびれた形状であり、内側ダイヤルは、円盤状であり、外側ダイヤルは、台形状であってもよい。開口の形状、大きさ、及び数の組み合わせは、いかなるものも可能である。
【００６５】
内側ダイヤル８０８及び／又は外側ダイヤル８１２の複数の平滑領域は、流通形圧縮性ガスケットＨ８１０の少なくとも１つの開口に整列し、ディスペンサーを閉鎖位置にさせる。この閉鎖位置は、送出通路に沿う製品の移動を妨げる。さらに、流通形圧縮性ガスケットＨ８１０は、ルースパウダーが使用者全体にわたって分配されることなく、一定量の製品が一回で供給されることを可能とする。
【００６６】
ディスペンサー８００は、また、開口及びアクチュエータの外周を取り囲む少なくとも１以上の隆線を含み得るアクチュエータ８１４を含んでいる。アクチュエータ８１４は、また、外側ダイヤルであってもよい。アクチュエータ８１４は、製品送出通路を画定するのに役立つ少なくとも１つの支柱を含み得る。
【００６７】
アクチュエータ８１４は、限定されるものではないが、圧入、スナップ嵌め、接着剤、及び／又は、１以上の係合機構による係合を伴って外側ダイヤル８１２に固定され得る。また、アクチュエータ８１４は、使用者がアクチュエータを回転させる便宜上、外周を取り囲む少なくとも１以上の隆線を含み得る。
【００６８】
端部キャップ８０２、ハウジング８０４、摺動体８０６、内側ダイヤル８０８、外側ダイヤル８１２、及びアクチュエータ８１４は、限定されるものではないが、木材、プラスチック、ポリマー、熱可塑性樹脂、それらの複合材料などを含む材料から構成され得る。いくつかの実施例においては、上述した構成要素は、少なくとも部分的に、例えば、アクリロニトリル・ブタジエン・スチレン（ＡＢＳ）、スチレン・アクリロニトリル（ＳＡＮ）、ペンタクロロチオアニソール（ＰＣＴＡ）、ポリプロピレン（ＰＰ）、ポリエチレン（ＰＥ）、ポリウレタン、それらの複合材料などのような樹脂から作られ得る。
【００６９】
図８は、塗布器具を有するディスペンサー８００を示している。塗布器具は、塗布器具８１８に結合されている塗布器具用保持具８１６を含んでいる。塗布器具用保持具８１６は、ブラシ形塗布器具８１８を保持するベースとして、又は、スポンジ形塗布器具用ベースとして、あるいは、パウダーパフ形塗布器具用ベースとして用いられる。
【００７０】
いくつかの実施例において、塗布器具は、少なくとも１つの開口を含み得るスポンジを含み得る。該開口は、数において、少なくとも１つから最大６つの範囲にあり得る。スポンジ形塗布器具（不図示）の開口は、大きさにおいて、直径で、少なくとも約１ｍｍから最大約４ｍｍの範囲にあり得る。
【００７１】
ディスペンサー８００は、塗布器具８１８の上部を覆って嵌合する大きさに作られ、嵌合する形状に作られている取り外し可能なキャップ８２０又はカバーを含んでいる。実施例においては、取り外し可能なキャップ８２０は、ハウジング８０４にスナップ嵌めされ得る。別の実施例においては、取り外し可能なキャップ８２０は、ねじ山を含み、それに一緒になるようにハウジング８０４にねじ止めされる。ある場合には、取り外し可能なキャップ８２０は、透明な、ほぼ不透明な、又は半透明の材料から作られ得る。別の実施例において、ディスペンサー８００は、透明なプラスチック・カバー、摺動引き上げ式カバーなどを含み得る。この例では、ディスペンサー８００は、ディスペンサー８００が使用されない場合塗布器具８１８を密封する、取り外し可能なキャップ８２０を含んでいる。別の実施例においては、ディスペンサーは、取り外し可能なキャップ又はカバーを含んでいなくてもよい。
【００７２】
取り外し可能なキャップ８２０は、製品を塗布するとき、容易に使用できる鏡を有するという使用者の便宜上、鏡（不図示）を含み得る。該鏡は、厚さで、少なくとも約２ｍｍから最大約８ｍｍまでの範囲にある。様々な実施例において、鏡は、接着剤、圧入、スナップ嵌め、１以上のリブと返し、又は、その他の適切な固定手段により、取り外し可能なキャップに結合され得る。鏡は、取り外し可能なキャップの上部、側部又は内側に配置され得る。別の実施例では、ディスペンサー８００は、鏡を含んでいなくてもよい。
【００７３】
様々な具体的実施例の特徴が述べられているけれども、別の実施例では、端部キャップ８０２、ハウジング８０４、摺動体８０６、内側ダイヤル８０８、外側ダイヤル８１２、アクチュエータ８１４、塗布器具用保持具８１６、塗布器部８１８、及びキャップ８２０は、ディスペンサー８００に収容される製品の塗布に適切な形状に構成され得る。例えば、上記リストアップされた品目は、別の適切な形状及び大きさで構成され得るし、所定の塗布に望まれる、適切な質量、表面仕上げ、及び／又は表面処理を有し得る。実際に、上記リストアップされた品目は、円盤状、楕円形、長円形、球形、曲線状、台形などのような所望の形状で構成され得る。
【００７４】
図９は、図８のディスペンサー用の内側ダイヤル８０８の斜視図である。図１０は、図８のディスペンサー用の外側ダイヤル８１２の斜視図である。
【００７５】
（流通形圧縮性ガスケットＨ）
図１１ａ、１１ｂ及び１１ｃは、それぞれ、流通形圧縮性ガスケットＨ８１０の前方斜視図、上面図及び側面図である。これらの図において、流通形圧縮性ガスケットＨ８１０は、ガスケットの上面及び底面に円形リングにより取り囲まれている概略砂時計のようなくびれた形状を有する開口を含んでいる。
【００７６】
砂時計のようなくびれた形状を有する流通形圧縮性ガスケット８１０は、熱可塑性及びゴム状弾性の両方を有することが可能な材料から作られる。該材料は、限定されるものではないが、熱可塑性エラストマー（ＴＰＥ）、熱可塑性ゴム、熱可塑性ポリマー、エラストマーなどを含んでいる。いくつかの実施例においては、エラストマー材料は、ポリウレタン、ポリエステル共重合体、スチレン共重合体、オレフィン、エチレン・アクリル樹脂、塩素化ポリエチレン、クロロスルホン化ポリエチレン、フッ素化炭素を含み、他方、別の実施例では、エラストマー材料は、ブチルゴム、シリコーン、ブタジエンゴム、ネオプレン、ニトリル、フルオロシリコーン、スチレンブタジエンゴム（ＳＢＲ）などのような比較的柔軟な材料、又は、ゲル状の材料を含み得る。
【００７７】
図１１ａは、砂時計のようなくびれた形状を有する流通形圧縮性ガスケット８１０の前方斜視図を示している。図１１ａには、流通形圧縮性ガスケットＨが中心隆起部分を持つ概略円形状の本体をどのように含んでいるかが示されている。該本体及び中心隆起部分は、限定されるものではないが、概略円形、概略正方形、又は、概略楕円形を含む別の構成及び形状になっていてもよい。
【００７８】
砂時計のようなくびれた形状を有する流通形圧縮性ガスケット８１０は、概略円形の本体に配置される少なくとも１つの開口を含んでいる。該少なくとも１つの開口は、内側ダイヤルの少なくとも１つの開口及び外側ダイヤルの少なくとも１つの開口に整列し、製品を送出する。砂時計のようなくびれた形状を有する流通形圧縮性ガスケット８１０の少なくとも１つの開口は、限定されるものではないが、概略円形、概略正方形、又は概略楕円形を含む形状を有し得る。この実施例においては、該少なくとも１つの開口は、概略砂時計のようなくびれた形状である。
【００７９】
該少なくとも１つの開口の数は、製品送出を可能とするのに十分な数であるが、開口の大きさに依存する。実施例においては、該少なくとも１つの開口は、２つの開口を含んでいる。別の実施例においては、該少なくとも１つの開口は、限定されるものではないが、少なくとも１つの開口から最大４つの開口を含んでいてもよい。該少なくとも１つの開口の配列は、図１１ａに示されるように、２つの開口で砂時計のようなくびれた形状であってもよいし、あるいは、少なくとも直径２ｍｍの３つの円形開口から作られてもよい。
【００８０】
図１１ｃは、砂時計のようなくびれた形状を有する流通形圧縮性ガスケット８１０の側面図を示している。砂時計のようなくびれた形状を有する流通形圧縮性ガスケット８１０は、一方の面で概略円形の本体に接続する第１の円形リング及び第他方の面で概略円形の本体に接続する第２の円形リングを含んでいる。
【００８１】
様々な具体的実施例の特徴が述べられているけれども、別の実施例では、砂時計のようなくびれた形状を有する流通形圧縮性ガスケット８１０は、ディスペンサー８００に収容されている製品の塗布に適した形状に構成され得る。例えば、砂時計のようなくびれた形状を有する流通形圧縮性ガスケット８１０は、その他の適切な形状及び大きさで構成され得るし、所定の塗布に対して望まれる開口の適切な数、開口の大きさ、開口の形状を有し得る。ディスペンサー及び砂時計のようなくびれた形状を有する流通形圧縮性ガスケット８１０の製造は、別々の製造工程、一体成形工程、又は、その他の適切な製造工程を介して達成され得る。
【００８２】
（砂時計のようなくびれた形状を有する流通形圧縮性ガスケットのための具体的な送出機構）
図１２は、図８の具体的ディスペンサーのＡ−Ａ線に沿って断面される前方斜視図である。図１３は、図８のディスペンサーに係る該ディスペンサーの断面図である。
【００８３】
以下は、これに限定されるものではないが、開放位置で製品を供給し、閉鎖位置で製品の漏れを防止する送出機構の実施例が説明される。実施例は、回転又は逆回転動作を使って実行される。それにより、使用者は、アクチュエータをシフター（a sifter）に対して時計方向又は反時計方向のどちらかに移動させることで、ディスペンサー８００を操作し得る。しかしながら、別の実施例では、適切な送出機構が使用され得る。
【００８４】
図１４には、製品送出通路がハウジングからどのように延び、塗布器具においてどのように終了するかが示されている。１つの実施例において、開放位置で製品送出を可能とするために、アクチュエータが操作機構として用いられる。開放位置へのアクチュエータの回転が、製品がこの製品送出通路を通って搬送されるように、流通形圧縮性ガスケットＨの少なくとも１つの開口を内側ダイヤル又は外側ダイヤルの少なくとも１つの開口に整列させる。製品は、ハウジングの貯蔵槽から塗布器具を通って送出される。
【００８５】
１つの実施例において、アクチュエータは、砂時計のようなくびれた形状を有する流通形圧縮性ガスケットに対して下向きの圧力を加え、シールを作りだすことで製品の漏れを防止する操作機構として用いられる。さらに、使用者による作動は、閉鎖位置のために、アクチュエータに砂時計のようなくびれた形状を有する流通形圧縮性ガスケットに対して下向きの圧力を加えさせることにより、らせん状である回転機構を含んでいる。この閉鎖位置において、アクチュエータは、外側ダイヤル及び／又は内側ダイヤルの平滑領域を流通形圧縮性ガスケットＨの少なくとも１つの開口に整列させることによるカム動作シールを提供する。したがって、閉鎖位置は、製品送出通路をシールすることにより製品の漏れを防止する。
【００８６】
いくつかの実施例において、回転機構は、開放位置への少なくとも約１０度から最大約３５９度までの回転を含み得る。その他の実施例では、回転機構は、少なくとも約５度の最小値から最大約３５０度までの回転を含み得る。製品を供給する送出機構のための別の実施例は、流通形圧縮性ガスケットＨの少なくとも１つの開口の十分な数と少なくとも１つの開口の十分な大きさに対して、少なくとも約１８０度の回転であってもよい。送出機構は、限定されるものではないが、時計方向又は反時計方向の回転、左又は右への移動、開放位置又は閉鎖位置などを含んでいる。
【００８７】
作動は、また、外側カバー、外側カバーのツマミを、及び／又はその他の適切な供給機構で回転させること、押し下げること、摺動すること、傾斜すること、又は、操作することにより起こる。実施例においては、外側カバーのツマミが製品送出を可能としている。このことは、流通形圧縮性ガスケットの少なくとも１つの開口を外側カバーの少なくとも１つの開口に整列するようにツマミを摺動することにより起こる。しかしながら、別の実施例では、適切な送出機構が使用され得る。
【００８８】
（終わりに）
本発明は、構造上の特徴及び／又は方法論的動きに特定された言葉で説明されてきたが、本発明は、記載された特定の特徴又は動きに限定される必要がないことが理解されるべきである。むしろ、特定の特徴及び動きは、本発明を実施する具体的な形として開示されている。
【図１】
2010110598.tif 000003
【図２】
2010110598.tif 000004
【図３】
2010110598.tif 000005
【図４】
2010110598.tif 000006
【図５ａ】
2010110598.tif 000007
【図５ｂ】
2010110598.tif 000008
【図５ｃ】
2010110598.tif 000009
【図６】
2010110598.tif 000010
【図７】
2010110598.tif 000011
【図８】
2010110598.tif 000012
【図９】
2010110598.tif 000013
【図１０】
2010110598.tif 000014
【図１１ａ】
2010110598.tif 000015
【図１１ｂ】
2010110598.tif 000016
【図１１ｃ】
2010110598.tif 000017
【図１２】
2010110598.tif 000018
【図１３】
2010110598.tif 000019
【外国語明細書】
2010110598000001.pdf